(57)【要約】      （修正有）【課題】投稿内容に応じて適切に表示手法を変更することが可能な情報処理システム、情報処理装置、情報処理サーバ、情報処理方法、および情報処理プログラムを提供する。【解決手段】情報処理システムは、投稿情報を取得する投稿情報取得手段２０３ａと、投稿情報の内容を示す情報である投稿情報内容と、投稿情報を表示する期間である表示期間と、を予め対応づけた情報である期間設定情報を記憶する記憶手段２０２ｂと、投稿情報から投稿情報内容を抽出し、投稿情報内容に応じた表示期間を、投稿情報に設定する設定手段と、投稿情報に設定された表示期間に応じて表示態様を変えた投稿情報の出力情報を生成する出力情報生成手段２０３ｂと、を備える。【選択図】図１
2014071815.tif 000002
【特許請求の範囲】
【請求項１】
（内容に応じた表示期間を設定する）
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
【請求項２】
前記期間設定情報は、
前記投稿情報内容の優先度を示す情報を含み、
前記設定手段は、
前記投稿情報から複数の投稿情報内容が抽出される場合に、前記複数の投稿情報内容に応じて複数の表示期間を設定し、
前記出力情報生成手段は、
前記複数の表示期間が重なる期間において、前記期間設定情報に含まれる前記優先度に基づいて、前記投稿情報の出力情報を生成することを特徴とする、
請求項１に記載の情報処理システム。
【請求項３】
投稿情報の付加情報を取得する投稿情報取得手段と、
前記付加情報と、前記投稿情報を表示する期間である表示期間と、を予め対応づけた情報である期間設定情報を記憶する記憶手段と、
前記付加情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
【請求項４】
前記付加情報は、
前記投稿情報の投稿者に関する情報である投稿者情報であることを特徴とする、
請求項３に記載の情報処理システム。
【請求項５】
前記付加情報は、
前記投稿情報の閲覧者に関する情報である閲覧者情報であることを特徴とする、
請求項３又は４に記載の情報処理システム。
【請求項６】
情報処理装置
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理装置。
【請求項７】
情報処理サーバ
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理サーバ。
【請求項８】
情報処理方法
投稿情報を取得するステップと、
前記投稿情報の内容を示す情報である投稿情報内容と、前記投稿情報を表示する期間である表示期間と、を予め対応づけた情報である期間設定情報を記憶するステップと、
前記投稿情報から投稿情報内容を抽出し、前記投稿情報内容に応じた前記表示期間を、前記投稿情報に設定するステップと、
前記投稿情報に設定された前記表示期間に応じて表示態様を変えた前記投稿情報の出力情報を生成するステップと、
をコンピュータに実行させることを特徴とする情報処理方法。
【請求項９】
情報処理プログラム
投稿情報を取得するステップと、
前記投稿情報の内容を示す情報である投稿情報内容と、前記投稿情報を表示する期間である表示期間と、を予め対応づけた情報である期間設定情報を記憶するステップと、
前記投稿情報から投稿情報内容を抽出し、前記投稿情報内容に応じた前記表示期間を、前記投稿情報に設定するステップと、
前記投稿情報に設定された前記表示期間に応じて表示態様を変えた前記投稿情報の出力情報を生成するステップと、
をコンピュータに実行させることを特徴とする情報処理プログラム。
【発明の詳細な説明】
【技術分野】
【０００１】
本発明は、情報処理システム、情報処理装置、情報処理サーバ、情報処理方法、および情報処理プログラムに関し、特に投稿情報の期間に基づいて、適切に投稿情報の表示を制御する情報処理システム、情報処理装置、情報処理サーバ、情報処理方法、および情報処理プログラムに関する。
【背景技術】
【０００２】
従来から、ユーザが投稿した投稿情報を地図情報上に表示する技術が開示されている。また、特許文献１に記載の車載用表示装置においては、投稿情報が投稿されてから取得されるまでの経過時間と投稿情報が属するカテゴリとに基づいて、投稿情報を地図データ上に表示させる表示手法を変更する技術が開示されている。この技術によれば、安全運転を阻害することなく、車載用表示装置に表示された投稿情報の内容を一見して把握することが可能になる。
【先行技術文献】
【特許文献】
【０００３】
【特許文献１】特開２０１１−２４７８３２号公報
【発明の概要】
【発明が解決しようとする課題】
【０００４】
しかしながら、特許文献１に記載の従来の車載用表示装置においては、経過時間に応じて投稿情報の表示手法を変更するが、投稿情報の内容に応じて適切に経過時間を設定することができなかった。より具体的には、投稿情報の内容が継続する期間と、投稿情報の表示期間が対応していないため、投稿情報の内容によっては既に陳腐化した投稿情報がいつまでも残ってしまうという課題があった。
【０００５】
そこで、本発明は、上記の問題に鑑みてなされたものであり、投稿内容に応じて適切に表示手法を変更することが可能な情報処理システム、情報処理装置、情報処理サーバ、情報処理方法、および情報処理プログラムを提供することを目的とする。
【課題を解決するための手段】
【０００６】
本発明にかかる情報処理システムは、投稿情報を取得する投稿情報取得手段と、投稿情報の内容を示す情報である投稿情報内容と、投稿情報を表示する期間である表示期間と、を予め対応づけた情報である期間設定情報を記憶する記憶手段と、投稿情報から投稿情報内容を抽出し、投稿情報内容に応じた表示期間を、投稿情報に設定する設定手段と、投稿情報に設定された表示期間に応じて表示態様を変えた投稿情報の出力情報を生成する出力情報生成手段と、を備える。
【発明の効果】
【０００７】
以上、説明したように本発明によれば、投稿情報の内容に応じて、適切に表示期間を設定することができる。
【図面の簡単な説明】
【０００８】
【図１】本発明の実施形態に係る情報処理システムの機能ブロック図である。
【図２】同実施例の処理の一例を示すフローチャートである。
【図３】同実施例の投稿内容と表示期間の対応テーブルを説明する図である。
【図４】同実施例の投稿ユーザと表示期間の対応テーブルを説明する図である。
【図５】同実施例の閲覧ユーザと表示期間の対応テーブルを説明する図である。
【図６】同実施例の動作態様を説明する図である。
【図７】同実施例の動作態様を説明する図である。
【図８】同実施例の動作態様を説明する図である。
【発明を実施するための形態】
【０００９】
以下に、本発明の実施例を図面に沿って詳細に説明する。なお、この実施例によりこの発明が限定されるものではない。
【００１０】
［情報処理システムの構成］
図１は、本発明における情報処理システムにおいて、特に投稿情報を適切に表示するための機能ブロック図を主として示しており、本発明の各種態様を実施することができるようにした機能ブロック図を示している。なお、同図において、各機能を行なう機能部は、それぞれ各機能を行なう手段ということができる。
【００１１】
図１に示すように、このシステムは、概略的に、サーバ２００、および、単数または複数の端末装置１００を通信可能に接続して構成される。ここで、図１に示すように、通信には、一例として、ネットワーク３００を介した有線・無線通信などの遠隔通信等を含む。また、これら情報処理システムの各部は任意の通信路を介して通信可能に接続されている。
【００１２】
また、投稿情報データベース４００は、利用者により投稿された投稿情報を記憶する投稿情報記憶手段である。投稿情報データベース４００は情報処理システムの内部にあってもよいし、ネットワークを介して接続された情報処理システムの外部のサーバにあってもよい。ここで、投稿情報は、ユーザにより端末装置１００の入力部１０３を介して入力されたものである。また、投稿情報は、文字情報、静止画または動画に関する画像情報、アイコン等の選択に関する選択情報、または、音声情報等であってもよい。さらに、投稿情報が投稿された時刻である投稿時刻情報を含む。また、投稿情報には、当該投稿情報に関連する位置情報である投稿位置情報が含まれてもよい。さらに、投稿位置情報は、端末装置１００のユーザの現在位置情報であってもよい。また、投稿位置情報は、入力部１０３を介して入力された住所、電話番号、または、地点名称等であってもよい。さらに、投稿情報には、当該投稿情報を投稿したユーザを識別する情報であるユーザＩＤ、および／または、ユーザの名称であるユーザ名が含まれていてもよい。
【００１３】
［情報処理サーバ２００の構成］
図１に示すように、本実施形態の情報処理サーバ２００は、概略的に、サーバ通信インタフェース部２０１、サーバ記憶部２０２、サーバ制御部２０３を少なくとも備える。情報処理サーバ２００は、サーバ通信インタフェース部２０１を介してネットワーク３００を経由し、端末装置１００と相互に通信可能に接続される。サーバ通信インタフェース部２０１は、通信回線や電話回線などに接続されるアンテナやルータ等の通信装置（図示せず）に接続されるインタフェースであり、情報処理サーバ２００とネットワーク３００との間における通信制御を行う機能を有する。サーバ制御部２０３は、各種処理を行う制御手段である。サーバ記憶部２０２は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（地図情報データベース２０２ａ、および、期間設定情報データベース２０２ｂ）を格納する。
【００１４】
これらサーバ記憶部２０２の各構成要素のうち、地図情報データベース２０２ａは、地図に関する地図情報を記憶する地図情報記憶手段である。ここで、地図情報データベース２０２ａは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。また、地図情報データベース２０２ａは、公共交通機関の路線図に関する路線図情報を記憶していてもよい。また、地図情報は、例えば、高さ情報を持つ建築物（例えば、駅、デパート等）に関するフロア案内地図等の屋内地図情報を含んでいてもよい。また、地図情報データベース２０２ａは、地図情報と、当該地図情報を一意に識別する地図ＩＤ（例えば、メッシュ番号等）と、を対応付けて記憶してもよい。
【００１５】
また、地図情報データベース２０２ａは、更に、地図上に表示される地図オブジェクトに関する地図オブジェクト情報を記憶していてもよい。ここで、地図オブジェクト情報は、地図上に表示される地物（例えば、建造物、道路、線路、海、行政界等）の形状についての形状情報（例えば、ポリゴン等）、地図上に表示される注記（例えば、地名、施設名称等）の注記情報、ならびに、地図上に表示される記号（例えば、山、交番、コンビニエンスストア等）の記号情報（例えば、アイコン等）などのデータを含んでいてもよい。また、地図情報データベース２０２ａは、更に、ＰＯＩの名称、および、位置情報等を含むＰＯＩ情報を記憶していてもよい。
【００１６】
サーバ記憶部２０２の各構成要素のうち、期間設定情報データベース２０２ｂは、利用者により投稿された投稿情報に表示期間を設定するための情報である期間設定情報を記憶する期間設定情報記憶手段である。ここで、図３、図４、図５を参照し、期間設定情報のデータ構造の一例について説明する。
【００１７】
まず、図３に示すように、期間設定情報データベース２０２ｂは、投稿情報内容と表示期間とに関する期間設定情報を含む。ここで、期間設定情報データベース２０２ｂに記憶される投稿情報内容は、ユーザから受付けた投稿情報の内容、または、投稿情報に付与された内容を示すために付与された情報（例えば、タグ、コード）に基づいて、設定する情報（例えば、表示期間、表示態様）を抽出するための情報である。投稿情報内容は、具体的には、「事故」や「速度規制」などの道路環境に関する情報でもよいし、「いちご狩り」や「釣り」などのユーザ体験情報でもよい。また、「花」や「夜景」などの景観情報でもよいし、「シカ」や「サル」などの発見情報であってもよい。
【００１８】
また、期間設定情報データベース２０２ｂに記憶される表示期間は、投稿情報が地図上に表示される期間を示す情報である。具体的には、投稿時刻から２日間といった投稿時刻を基準にした期間でもよいし、１２月〜翌５月といった投稿時刻によらない期間でもよい。期間設定情報データベース２０２ｂは、さらに投稿情報内容に対応付けて、表示態様に関する情報、および／または、表示優先度を記憶しておいてもよい。表示態様に関する情報は、表示期間において投稿情報の地図上における表示態様に関する情報である。例えば、地図上に表示するためのアイコンを指定するためのアイコンＩＤであってもよいし、地図上に表示するための定型文のテキストＩＤであってもよい。また、表示優先度は、表示期間における投稿情報の表示の優先度に関する情報である。表示優先度は、数字が小さいほどに優先度が高いことを示している。すなわち、数字の１が設定されている投稿情報内容「事故」が最も表示優先度が高い。優先度による具体的な処理については、後述する。
【００１９】
また、図４に示すように、期間設定情報データベース２０２ｂは、投稿ユーザ情報と表示期間とに関する期間設定情報を含む。ここで、期間設定情報データベース２０２ｂに記憶される投稿ユーザ情報は、投稿ユーザに該当する情報（例えば、表示期間、期間内出力態様、期間外出力態様）を抽出するための情報である。投稿ユーザ情報は、投稿ユーザ毎に割り当てられた、ユーザＩＤ、または、ユーザ名、もしくはその両方であってもよい。また、期間設定情報データベース２０２ｂに記憶される表示期間は、投稿情報が地図上に表示される期間を示す情報である。具体的には、投稿時刻から２日間といった投稿時刻を基準にした期間でもよいし、１２月〜翌５月といった投稿時刻によらない期間でもよい。期間設定情報データベース２０２ｂは、さらに投稿ユーザ情報に対応付けて、期間内出力態様および期間外出力態様に関する情報を記憶しておいてもよい。ここで、期間内出力態様および期間外出力態様に関する情報は、表示期間内および表示期間外において、投稿情報を地図上に表示する際の表示態様（例えば、強調表示、通常表示、点滅表示、削除（非表示））に関する情報である。なお、投稿ユーザ情報は投稿情報の付加情報として管理される。
【００２０】
また、図５に示すように、期間設定情報データベース２０２ｂは、閲覧ユーザ情報と表示期間とに関する期間設定情報を含む。ここで、期間設定情報データベース２０２ｂに記憶される閲覧ユーザ情報は、閲覧ユーザに該当する情報（例えば、表示期間、表示制御設定、表示態様）を抽出するための情報である。閲覧ユーザ情報は、閲覧ユーザ毎に割り当てられた、ユーザＩＤ、または、ユーザ名、もしくはその両方でもよい。また、期間設定情報データベース２０２ｂに記憶される表示期間は、投稿情報が地図上に表示される期間を示す情報である。具体的には、投稿時刻から２日間といった投稿時刻を基準にした期間でもよいし、１２月〜翌５月といった投稿時刻によらない期間でもよい。期間設定情報データベース２０２ｂは、さらに投稿情報内容に対応付けて、期間内出力態様および期間外出力態様に関する情報を記憶しておいてもよい。ここで、期間内出力態様および期間外出力態様に関する情報は、表示期間内および表示期間外において、投稿情報内容を地図上に表示する際の表示態様（例えば、強調表示、通常表示、点滅表示、削除（非表示））に関する情報である。また、期間設定情報データベース２０２ｂは、さらに投稿情報内容に対応付けて、表示制御設定情報を記憶してもよい。ここで、期間設定情報データベース２０２ｂに記憶される表示設定情報は、表示期間、期間内出力態様および期間外出力態様を適用する投稿情報をフィルタリングするための情報である。例えば、特定の投稿ユーザＩＤを指定するＩＤ情報（例えば、ＩＤ：Ｐ００２）でもよいし、投稿ユーザのユーザ属性（例えば、住所を示す「千葉県」）であってもよい。なお、閲覧ユーザ情報は投稿情報の付加情報として管理される。
【００２１】
また、サーバ制御部２０３は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、サーバ制御部２０３は、これらのプログラム等により、種々の処理を実行するための情報処理を行う。サーバ制御部２０３は、機能概念的に、投稿情報取得部２０３ａ、および、出力情報生成部２０３ｂを備える。
【００２２】
このうち、投稿情報取得部２０３ａは、投稿情報を取得する投稿情報取得手段である。投稿情報取得部２０３ａは、投稿情報を投稿情報データベース４００から投稿情報を取得する。ここで、投稿情報取得部２０３ａは、位置情報に基づいて投稿情報データベース４００に記憶されている投稿情報を取得するようにしてもよい。また、投稿情報取得部２０３ａは、所定のユーザＩＤに基づいて投稿情報データベース４００に記憶されている投稿情報を取得するようにしてもよい。
【００２３】
また、出力情報生成部２０３ｂは、端末装置１００から受信する投稿情報出力要求に応じて、出力情報を生成する出力情報生成手段である。出力情報生成部２０３ｃは、投稿情報取得手段２０３ａの取得した投稿情報と、期間設定情報データベース２０２ｂに設定された期間設定情報と、に基づいて、出力情報を生成する。ここで、端末装置１００から受信する投稿情報表示要求は、位置情報（例えば、端末装置１００で表示中の地図の中心、端末装置１００で入力された住所等）と時刻情報（例えば、現在時刻、端末装置１００で指定した指定時刻等）を含む。さらに、端末装置１００から受信する投稿情報表示要求は端末装置１００のユーザの識別情報である閲覧ユーザＩＤを含むようにしてもよい。
【００２４】
［端末装置１００の構成］
また、図１に示すように、本実施形態の端末装置１００は、概略的に、装置通信制御インタフェース部１０１、表示部１０２、入力部１０３、および、装置制御部１０４を少なくとも備える。端末装置１００は、例えば、一般に市販される携帯電話、スマートフォン、ＰＨＳおよびＰＤＡ等の携帯端末装置、および走行経路案内等を行なうナビゲーション端末（例えば、カーナビゲーション装置）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置取得が行えるよう、ＧＰＳ機能やＩＭＥＳ機能等を有する位置取得部を備えていてもよい。
【００２５】
ここで、表示部１０２は、アプリケーション等の表示画面を表示する表示手段（例えば、液晶または有機ＥＬ等から構成されるディスプレイおよびモニタ等）である。また、端末装置１００は、データ入力等を行う入力部１０３を備えていてもよい。ここで、表示部１０２は、タッチパネル等であり入力部として機能するものであっても良い。また、入力部１０３は、例えば、キー入力部、タッチパネル、コントロールパッド（例えば、タッチパッド、および、ゲームパッド等）、マウス、キーボード、および、マイク等であってもよい。
【００２６】
また、装置制御部１０４は、ＯＳ等の制御プログラムや、各種の処理手順等を規定したプログラム、および、所要データを格納するための内部メモリを有する。そして、制御部１０４は、これらのプログラム等により、種々の処理を実行するための情報処理を行う。例えば、装置制御部１０４は、入力部１０３より入力されるユーザの地図表示要求に応じて、情報処理サーバ２００に対して、端末通信部１０１およびネットワーク３００を介して、地図表示要求をしてもよい。また、情報処理サーバ２００よりネットワーク３００および端末通信部１０１を介して受信した出力情報を、表示部１０２に表示させてもよい。
【００２７】
以上で、本実施形態における情報処理システムの構成の一例の説明を終える。
【００２８】
［情報処理システムの処理］
次に、このように構成された本実施形態における情報処理システムの処理の一例について、以下に図２から図５を参照して詳細に説明する。図２は、本実施形態における情報処理システムの投稿情報の表示処理の一例を示すフローチャートである。
【００２９】
次に、図２を参照し、投稿情報の表示処理の一例を示す。まず、端末装置１００の装置制御部１０４から投稿情報の表示要求を情報処理サーバ２００に送信する（ステップＳ１０１）。
【００３０】
ここで、端末装置１００から送信する投稿情報表示要求は、位置情報（例えば、端末装置１００の現在位置、端末装置１００で表示中の地図の中心、端末装置１００で入力された住所等）と時刻情報（例えば、現在時刻、端末装置１００で指定した指定時刻）とを含む。さらに、端末装置１００から受信する投稿情報表示要求は、ユーザの識別情報（例えば、閲覧ユーザＩＤ）を含むようにしてもよい。
【００３１】
次に、情報処理サーバ２００は、端末装置１００から投稿情報表示要求を受信すると、投稿情報取得部２０３ａは、投稿情報データベース４００から投稿情報を取得する（ステップＳ１０２）。ここで、投稿情報取得部２０３ａは、投稿情報表示要求に含まれる位置情報（例えば、端末装置１００の現在位置、端末装置１００で表示中の地図の中心、端末装置１００で入力された住所等）に基づいて、投稿情報データベース４００から投稿情報を取得する。例えば、投稿情報取得手段２０３ａは、投稿情報表示要求に含まれる位置情報の所定範囲に、投稿情報の位置情報が含まれる投稿情報のみを取得する。
【００３２】
図２に戻り、次に出力情報生成部２０３ｂは、投稿情報取得手段２０３ａの取得した投稿情報と、期間設定情報データベース２０２ｂに記憶される期間設定情報と、に基づいて、投稿情報の表示期間と、出力態様とを設定し（ステップＳ１０３）、出力情報生成部２０３ｂは、設定された投稿情報の表示期間と、出力態様と、時刻情報（例えば、端末装置１００への送信時刻）とに基づいて、出力情報を生成する（ステップＳ１０４）。そして、情報処理サーバ２００は、サーバ通信インタフェース部２０１を介して、出力情報生成手段２０３ｂによって生成された出力情報を端末装置１００に送信する（ステップＳ１０５）。端末装置１００の装置制御部１０４は、情報処理サーバ２００からの出力情報を受信し、表示部１０２に表示する（ステップＳ１０６）。
【００３３】
ここで、図６から図８を用いて、端末装置１００の表示部１０２に表示される出力情報について、本実施例の表示態様の一例を説明する。
【００３４】
まず、図６に示すように端末装置１００の表示部１０２は、出力情報に基づいて地図情報上に投稿情報を表示する。図６（ａ）は、表示時刻が９：２５における表示態様の一例であり、図６（ｂ）は表示時刻が１１：０５における表示態様の一例である。図６（ａ）に示すように、端末装置１００は、投稿情報取得手段２０３ａの取得した投稿情報と、期間設定情報データベース２０２ｂに記憶される期間設定情報と、に基づいて設定された出力情報図６（ａ）には、地図情報上に、６０１ａは「花」に関する投稿情報を示すアイコンと６０２ａは「事故」に関する投稿情報を示すアイコンと６０３ａは「速度規制」に関する投稿情報を示すアイコンとが表示されている。また、６００には出力情報表示時の現在時刻が表示されている。
【００３５】
図６（ａ）の各アイコンが示す各投稿情報には、期間設定情報がそれぞれ設定されている。６０１ａの「花」は、投稿情報が花に関する内容であるため（花に関するキーワードが含まれる投稿情報、または、花に関するタグが振られている等）図３に基づいて投稿情報内容が花（ＩＤ：Ｃ００９）である表示アイコンｄ００９に設定される。同様に、６０１ａの「花」は、図３に基づいて投稿情報内容が花（ＩＤ：Ｃ００９）である表示期間「投稿時刻から１ヶ月間」の表示期間が設定される。６０２ａの「事故」は、投稿情報が事故に関する内容であるため（事故に関するキーワードが含まれる投稿情報、または、事故に関するタグが振られている等）、図３に基づいて投稿情報内容が事故（ＩＤ：Ｃ００１）である表示アイコンｄ００１に設定される。同様に、６０２ａの「事故」は、図３に基づいて投稿情報内容が事故（ＩＤ：Ｃ００１）である表示期間「投稿時刻から１時間」の表示期間設定が設定される。６０３ａの「速度規制」は、投稿情報が速度規制に関する内容であるため（速度規制に関するキーワードが含まれる投稿情報、または、速度規制に関するタグが振られている等）図３に基づいて投稿情報内容が速度規制（ＩＤ：Ｃ００２）である表示アイコンｄ００２に設定される。同様に、６０３ａの「速度規制」は、図３に基づいて投稿情報内容が速度規制（ＩＤ：Ｃ００２）である表示期間「投稿時刻から２日間」の表示期間設定が設定されている。
【００３６】
さらに出力情報は、上述したように投稿情報それぞれに設定された表示期間および表示態様と、各投稿情報の投稿時刻と、表示時刻と、に基づいて生成されている。具体的には、６０１ａは、投稿情報の投稿時刻が９：００であり、投稿情報に該当する表示期間は「投稿時刻から１ヶ月」であるため、実際の投稿情報に設定される表示期間は「９：００〜１ヶ月後の９：００」と設定される。６０２ａは、投稿情報の投稿時刻が９：００であり、投稿情報に該当する表示期間は「投稿時刻から１時間」であるため、実際に投稿情報に設定される表示期間は「９：００〜１０：００」となる。６０３ａは、投稿情報の投稿時刻が９：１０であり、投稿情報に該当する表示期間は「投稿時刻から２日間」であるため、実際に投稿情報に設定される表示期間は「９：１０〜２日後の９：１０」となる。
【００３７】
ここで、図６（ａ）における表示時刻は９：２５であるため、出力情報生成手段２０３ｂは、当該時刻における表示態様を投稿情報の位置情報に合わせて設定する。一方、図６（ｂ）における表示時刻は１１：０５である。出力情報生成手段２０３ｂは、当該時刻における表示態様を投稿情報の位置情報に合わせて設定する。すなわち、６０１ｂと６０３ｂは設定された表示時間内であるため、図６（ａ）と同様の表示態様であるが、６０２ｂは表示期間外であるため、投稿情報を示すアイコンを非表示とする。この処理は、出力情報生成手段２０３ｂが、端末装置１００から所定時間ごとに送信される表示の定期的な更新の要求時刻を表示時刻とし、要求時刻に合わせて生成するものであってもよい。また、出力情報生成手段２０３ｂは、表示時刻に基づいて端末装置１００が投稿情報を示すアイコン等の表示および非表示を変更できるように出力情報を生成し、端末装置１００に送信するものであってもよい。
【００３８】
図７は、投稿情報に複数の投稿情報内容が含まれていた場合における表示の一例を示す図である。図７（ａ）は、表示時刻が９：２５における表示態様の一例であり、図６（ｂ）は表示時刻が１１：０５における表示態様の一例である。７０１ａおよび７０１ｂ、７０３ａおよび７０３ｂは、それぞれ図６に示す６０１ａおよび６０１ｂ、６０３ａおよび６０３ｂと同じものとして説明を省略する。
【００３９】
投稿情報７０２ａには、投稿情報内容として、「事故（ＩＤ：Ｃ００１）」および「花（ＩＤ：Ｃ００９）」が含まれており、それぞれの表示期間と表示態様が設定される。また、図３に示すように、それぞれの投稿情報内容には優先度が設定されている。例えば、投稿情報７０２ａの「事故（ＩＤ：Ｃ００１）」および「花（ＩＤ：Ｃ００９）」の２つの表示期間の設定に応じて、同一の表示時刻に対して「事故（ＩＤ：Ｃ００１）」および「花（ＩＤ：Ｃ００９）」の２つの表示態様が該当する場合が生じる。この場合には、出力情報生成手段２０３ｂは、優先度に基づいて表示時刻における表示態様とし、出力情報を生成する。具体的には、表示時刻が９：２５において、投稿情報７０１ａに適用される表示期間は、投稿情報内容が「事故（ＩＤ：Ｃ００１）」である「投稿時刻から１時間」と、投稿情報内容が「花（ＩＤ：Ｃ００９）」である表示期間「投稿時刻から１ヶ月間」が設定される。ここで、投稿時刻と表示時刻に基づいて、現在「事故（ＩＤ：Ｃ００１）」と、「花（ＩＤ：Ｃ００９）」とがそれぞれ表示期間内である場合には、投稿情報内容に付与された優先度に基づき、表示優先度が「１」である「事故（ＩＤ：Ｃ００１）」の表示アイコンＩＤの表示態様を用いて、出力情報が生成される。一方、図７（ｂ）に示すように、表示時刻が１１：０５である場合には、「事故（ＩＤ：Ｃ００１）」の表示期間である「投稿時刻から１時間」に該当しなくなるため、「花（ＩＤ：Ｃ００９）」の表示アイコンＩＤの表示態様を用いて出力情報が生成される。この処理は、出力情報生成手段２０３ｂが、端末装置１００から所定時間ごとに送信される表示の定期的な更新の要求時刻を表示時刻とし、要求時刻に合わせて生成するものであってもよい。また、出力情報生成手段２０３ｂは、表示時刻に基づいて端末装置１００が投稿情報を示すアイコン等の表示および非表示、表示アイコンの切り替えを変更できるように出力情報を生成し、端末装置１００に送信するものであってもよい。また、出力情報生成手段２０３ｂは、同一の表示時刻に対して２つの表示態様が該当する場合に、投稿情報内容に設定された優先度に基づいて表示態様を決定したが、それぞれの表示態様の表示期間のうち、表示期間の短い方を優先するようにして、表示態様を決定するようにしてもよい。
【００４０】
ここで、複数の投稿情報内容を含む投稿情報の表示態様の別の例について説明する。図８は投稿情報をテキスト表示する一例を示している。図８（ａ）に示すように、表示態様は投稿情報を示すテキストで表示する。テキストは、投稿情報の内容でもよいし、投稿情報から抽出したキーワードであってもよいし、投稿情報の内容から内容に該当するキーワードを適用するものであってもよい。また、テキストは、図３に示す優先度に合わせ、優先度の高い情報を強調表示するようにしてもよい。
【００４１】
なお、投稿情報に表示期間と表示態様を設定する別の例として、図４に示すように、投稿情報を投稿したユーザに応じて設定するようにしてもよい。例えば、投稿情報取得部２０３ａが取得した投稿情報に投稿ユーザ（ユーザＩＤ：Ｐ００１）の投稿が含まれる場合には、当該投稿情報に表示期間「投稿時刻〜１日」、および、期間内出力態様「強調」、期間外出力態様「通常」を設定する。以上のようにすることで、例えば閲覧ユーザがお気に入りのユーザを設定しておくことで、特定のユーザの投稿情報のみを判断しやすく表示することができる。同様に、特定のユーザの投稿情報のみを表示させないように設定してもよい。
【００４２】
なお、投稿情報に表示期間と表示態様を設定する別の例として、図５に示すように、閲覧ユーザに応じて、投稿情報の表示期間および表示態様を設定するようにしてもよい。例えば、閲覧ユーザ（ユーザＩＤ：Ｓ００１）が表示要求している場合には、投稿情報取得部２０３ａは、投稿情報取得部２０３ａが取得した投稿情報のうち「投稿時刻〜１日間」内の投稿情報は表示し、該期間外であれば表示しないという表示態様を設定し、出力情報を生成する。さらに、閲覧ユーザが表示態様として設定できる表示制御設定情報として、特定の投稿ユーザのＩＤ、投稿ユーザの属性情報について設定できるようにしてもよい。例えば、閲覧ユーザ（ユーザＩＤ：Ｓ００３）に示すように、取得した投稿情報のうち、「投稿時刻〜３ヶ月」表示期間内において、ユーザ属性「千葉県」のユーザからの投稿情報のみを点滅して表示するようにしてもよい。
【００４３】
なお、投稿情報に表示期間と表示態様を設定する別の例として、投稿情報に係る種々の付加情報に応じて投稿情報の表示期間および表示態様を設定するようにしてもよい。例えば、種々の付加情報は、投稿位置情報、投稿時刻情報、季節情報、天気情報、ユーザの移動手段の情報、道路の渋滞情報、公共交通機関の混雑情報、公共交通機関の遅延情報、投稿者の信頼度、同行者に関する情報、投稿情報の閲覧頻度、投稿情報に対する他ユーザの反応情報などの情報である。
【００４４】
なお、上記では、投稿情報の表示期間および表示態様を設定する例として、投稿情報または付加情報のどちらか一方に基づいて、投稿情報に表示期間および表示態様を設定する説明をしたが、本実施形態はこれに限らず、投稿情報と付加情報の双方に基づいて投稿情報に表示期間および表示態様を設定するようにしてもよい。
【００４５】
なお、期間設定情報データベース２０２ｂを参照する例について説明したが、本発明の実施形態はこれに限らず、投稿情報取得手段２０３ａが取得した投稿情報がテキスト情報であった場合、テキスト情報中の文字数に応じて表示期間を設定するようにしてもよい。例えば、１文字につき１０秒の表示期間を設定するようにしてもよい。すなわち、投稿情報取得手段２０３ａが取得した投稿情報であるテキスト情報中の文字数が１２０文字であった場合、１２０文字に１０秒を乗算し、求まる１２００秒を表示期間とするようにしてもよい。
【００４６】
なお、これまで本発明の実施の形態について、表示要求のタイミングで、出力情報生成手段が投稿情報２０３ｂの表示態様を決定するように説明したが、本発明はこれに限られるものでなく、投稿情報について予め表示期間と表示態様を決定しておき、決定した情報をいずれかの記憶手段に記憶しておくようにしてもよい。
【００４７】
以上で、本実施例における情報処理装置１００の処理の一例の説明を終える。
［他の実施例］
【００４８】
さて、これまで本発明の実施の形態について説明したが、本発明は、上述した実施の形態以外にも、特許請求の範囲に記載した技術的思想の範囲内において種々の異なる実施の形態にて実施されてよいものである。また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００４９】
このほか、上記文献中や図面中で示した処理手順、制御手順、具体的名称、各処理の登録データや検索条件等のパラメータを含む情報、画面例、データベース構成については、特記する場合を除いて任意に変更することができる。また、情報処理装置１００に関して、図示の各構成要素は機能概念的なものであり、必ずしも物理的に図示の如く構成されていることを要しない。更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【符号の説明】
【００５０】
１００  端末装置
１０１  装置通信制御インタフェース部
１０２  表示部
１０３  入力部
１０４  装置制御部
１０５  入出力制御インタフェース部
２００  情報処理サーバ
２０１  サーバ通信インタフェース部
２０２  サーバ記憶部
２０２ａ  地図情報データベース
２０２ｂ  期間設定情報データベース
２０３  サーバ制御部
２０３ａ  投稿情報取得部
２０３ｂ  出力情報生成部
３００  ネットワーク
４００  投稿情報データベース
【図１】
2014071815.tif 000003
【図２】
2014071815.tif 000004
【図３】
2014071815.tif 000005
【図４】
2014071815.tif 000006
【図５】
2014071815.tif 000007
【図６】
2014071815.tif 000008
【図７】
2014071815.tif 000009
【図８】
2014071815.tif 000010
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
【請求項２】
前記期間設定情報は、
前記投稿情報内容の優先度を示す情報を含み、
前記設定手段は、
前記投稿情報から複数の投稿情報内容が抽出される場合に、前記複数の投稿情報内容に応じて複数の表示期間を設定し、
前記出力情報生成手段は、
前記複数の表示期間が重なる期間において、前記期間設定情報に含まれる前記優先度に基づいて、前記投稿情報の出力情報を生成することを特徴とする、
請求項１に記載の情報処理システム。
【請求項３】
投稿情報の付加情報を取得する投稿情報取得手段と、
前記付加情報と、前記投稿情報を表示する期間である表示期間と、を予め対応づけた情報である期間設定情報を記憶する記憶手段と、
前記付加情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
【請求項４】
前記付加情報は、
前記投稿情報の投稿者に関する情報である投稿者情報であることを特徴とする、
請求項３に記載の情報処理システム。
【請求項５】
前記付加情報は、
前記投稿情報の閲覧者に関する情報である閲覧者情報であることを特徴とする、
請求項３又は４に記載の情報処理システム。
【請求項６】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理装置。
【請求項７】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理サーバ。
【請求項８】
投稿情報を取得するステップと、
前記投稿情報の内容を示す情報である投稿情報内容と、前記投稿情報を表示する期間である表示期間と、を予め対応づけた情報である期間設定情報を記憶するステップと、
前記投稿情報から投稿情報内容を抽出し、前記投稿情報内容に応じた前記表示期間を、前記投稿情報に設定するステップと、
前記投稿情報に設定された前記表示期間に応じて表示態様を変えた前記投稿情報の出力情報を生成するステップと、
をコンピュータに実行させることを特徴とする情報処理方法。
【請求項９】
投稿情報を取得するステップと、
前記投稿情報の内容を示す情報である投稿情報内容と、前記投稿情報を表示する期間である表示期間と、を予め対応づけた情報である期間設定情報を記憶するステップと、
前記投稿情報から投稿情報内容を抽出し、前記投稿情報内容に応じた前記表示期間を、前記投稿情報に設定するステップと、
前記投稿情報に設定された前記表示期間に応じて表示態様を変えた前記投稿情報の出力情報を生成するステップと、
をコンピュータに実行させることを特徴とする情報処理プログラム。